(57)【要約】  【課題】包装される物品の形態に応じて種々の包装形態が可能で、包装状態が見た目にも美しく、使用者やプレゼントされた者の心を癒したりする効果も期待でき、かつ重量物でも強固に包装して持ち運び可能なふろしき代用となる包装具を実現する。  【解決手段】四角形の布類において、その１辺とほぼ平行にゴム糸やゴム紐などの伸縮手段を一体化して少なくとも１本のギャザー部を設けると共に、前記ギャザー部又はその付近に結束用の紐手段を取付け固定してあるため、物品を弾力で容易に自然と包み込むことができる。また、前記ギャザー部又はその付近に結束用の紐手段を有しているので、最後に紐手段で、包装状態における開口部をギャザー部の上から強く結束することによって、内部の物品が脱落することもなく、重量物でも安心して持ち運びできる。【選択図】          図１
0003123890.tif 000002
【実用新案登録請求の範囲】
【請求項１】
四角形の布類において、その１辺とほぼ平行に伸縮手段を一体化して少なくとも１本のギャザー部を設けると共に、前記ギャザー部又はその付近に結束用の紐手段を取付け固定してあることを特徴とする包装具。
【請求項２】
前記布類を二つ折りする中心線に対し片側のみ又は両側に前記ギャザー部を設けてなることを特徴とする請求項１に記載の包装具。
【請求項３】
前記ギャザー部と平行に、張力の弱い微弱ギャザー部を１本以上設けてあることを特徴とする請求項１または請求項２に記載の包装具。
【請求項４】
前記四角形の布類において、前記ギャザー部と平行な２辺に装飾手段を施してあることを特徴とする請求項１、請求項２または請求項３に記載の包装具。
【請求項５】
前記四角形の布類において、前記ギャザー部と直角方向にも、前記ギャザー部又は前記微弱ギャザー部を１本以上設けてあることを特徴とする請求項１から請求項４までのいずれかの項に記載の包装具。
【請求項６】
前記布類のギャザー部と直角方向に１又は２本のボトルを置いた状態で二つ折りにして前記ボトルを挟んで両側の２辺を重ねると共に、ボトルの両側の余長布部を前記ボトル上に折り重ねた状態で、ギャザー部の紐で結束してなることを特徴とする請求項１から請求項５までのいずれかの項に記載の包装具。
【請求項７】
前記ギャザー部が中心線の両側に有る布類の中央に物品を置いて、前記ギャザー部の無い布部を前記物品上に被せた状態で、両側のギャザー部をそれぞれ結束するか、又は両側のギャザー部を前記物品の上側に折って、まとめて一緒に結束してなることを特徴とする請求項１から請求項５までのいずれかの項に記載の包装具。
【請求項８】
中心線の両側に前記ギャザー部を設けると共に、前記中心線上で二つ折りにして両側のギャザー部同士を重ねた状態で、左右両側の辺を縫い合わせて袋にしてなることを特徴とする請求項１から請求項４までのいずれかの項に記載の巾着。
【考案の詳細な説明】
【技術分野】
【０００１】
本考案は、ふろしきとほぼ同様なサイズの包装手段であって、ふろしきより物品の包装の簡便化を実現したものである。
【背景技術】
【０００２】
我が国では最近、ふろしきの有効利用が見直され、静かなブームを呼んでいるが、若い世代には馴染みが薄く、使い方が不慣れなため、充分に普及するとは思えない。在来のふろしきを改良した手段として、特開2001−328667号のように、表裏の少なくとも一部に面ファスナを取付けて、末端を結ばなくても使用可能なふろしきが提案されている。また、特開平11−152148号や実開平７−8259号、実用新案登録第3001705 号などのように、巾着とほぼ同様な結束紐を設けた構造も提案されている。
【特許文献１】特開2001−328667号
【特許文献２】特開平11−152148号
【特許文献３】実開平７−8259号
【特許文献４】実用新案登録第3001705 号
【考案の開示】
【考案が解決しようとする課題】
【０００３】
しかしながら、特許文献１のように面ファスナを取付けたふろしきは、面ファスナ同士を接合させて使用するため、面ファスナの存在しない位置では接合ができず、自由な使い方ができない。また、面ファスナによる接合だけでは、重量物を包装して持ち運ぶ際には適しない。
【０００４】
特許文献２、３、４のような巾着類似の構造では、物品の包装形態が一定するため、包装される物品の種々の形態に対応した包装方法が不可能となり、しかも包装状態における包装手段の外観や形態も一定で、プレゼントされた者の心を癒したりすることは期待できない。
【０００５】
本考案の技術的課題は、このような問題に着目し、包装される物品の形態に応じて種々の包装形態が可能で、包装状態が見た目にも美しく、使用者やプレゼントされた者の心を癒したりする効果も期待でき、かつ重量物でも強固に包装して持ち運び可能なふろしき代用となる包装具を実現することにある。在来の単純なデザインのふろしきとは異なって、若者達も魅力を感じるような、感性に富んだふろしき代用の包装具を実現する。
【課題を解決するための手段】
【０００６】
本考案の技術的課題は次のような手段によって解決される。請求項１は、四角形の布類において、その１辺とほぼ平行に伸縮手段を一体化して少なくとも１本のギャザー部を設けると共に、前記ギャザー部又はその付近に結束用の紐手段を取付け固定してあることを特徴とする包装具である。このように、四角形の布類において、その１辺とほぼ平行にゴム糸やゴム紐などの伸縮手段を一体化して少なくとも１本のギャザー部を設けてあるため、物品を包んだ際にギャザー部の張力で物品を包むように自然と締め付けられるので、物品を容易に自然と包み込むことができる。そして、前記ギャザー部又はその付近に結束用の紐手段を有しているので、最後に紐手段で、包装状態における開口部をギャザー部の上から強く結束することによって、内部の物品が脱落することもなく、重量物でも安心して持ち運びできる。
【０００７】
請求項２は、前記布類を二つ折りする中心線に対し片側のみ又は両側に前記ギャザー部を設けると共に、前記紐手段は前記ギャザー部又はその付近に設けてなることを特徴とする請求項１に記載の包装具である。このように、前記布類を二つ折りする中心線に対し片側のみ又は両側に前記ギャザー部を設けてあるため、例えばビールびんなどのように、一端が結束しやすい物品の場合は、中心線に対し片側のみにギャザー部を有する形態が適し、物品自体に結束の容易な特長が無い通常の物品の場合は、中心線に対し両側にギャザー部の有る形態を使用すれば、両方のギャザー部によって確実に包装状態におけるその開口部を締め付けて容易に包装できる。
【０００８】
請求項３は、前記ギャザー部と平行に、張力の弱い微弱ギャザー部を１本以上設けてあることを特徴とする請求項１または請求項２に記載の包装具である。このように、前記ギャザー部と平行に、張力の弱い微弱ギャザー部を１本以上設けてあるため、ギャザー部の無い領域においても、微弱ギャザー部の弱い張力によって内部の物品全体を軽く締め付けられるので、包装布類の全面が内部の物品にピッタリ密着する。その結果、素人が包装しても、体裁良くスマートに包装でき、見苦しくない。
【０００９】
請求項４は、前記の四角形の布類において、前記ギャザー部と平行な２辺に装飾手段を施してあることを特徴とする請求項１、請求項２または請求項３に記載の包装具である。このように、前記布類において、前記ギャザー部と平行な２辺にフリルやほつれ止め結びなどのような装飾手段を施してあるため、包装状態において、その外端の装飾部が外部に露出して目立つことになり、包装状態が美的に見えるのでプレゼントなどに適し、使用者も満足できる。
【００１０】
請求項５は、前記の四角形の布類において、前記ギャザー部と直角方向にも、前記ギャザー部又は前記微弱ギャザー部を１本以上設けてあることを特徴とする請求項１から請求項４までのいずれかの項に記載の包装具である。このように、四角形の布類において、前記ギャザー部と直角方向にも、ギャザー部や微弱ギャザー部を設けてあるため、布類の４辺方向にギャザー部の張力が作用することになり、円形の物品や正方形の物品、不定形の塊状体などを包装する場合に、素早く容易に包装できる。
【００１１】
請求項６は、前記布類のギャザー部と直角方向に１又は２本のボトルを置いた状態で二つ折りにして前記ボトルを挟んで両側の２辺を重ねると共に、ボトルの両側の余長布部を前記ボトル上に折り重ねた状態で、ギャザー部の紐で結束してなることを特徴とする請求項１から請求項５までのいずれかの項に記載の包装具であり、ビールびんなどのようなボトルを包装した状態である。このように、前記布類のギャザー部と直角方向に１又は２本のボトルを置いた状態で二つ折りにして前記ボトルを挟んで両側の２辺を重ねると共に、ボトルの両側の余長布部を前記ボトル上に折り重ねた状態で、ギャザー部の紐で結束した状態にすると、ビールびんなどのような重い物品であっても、容易にかつ確実に包装でき、しかも結束状態の紐で容易に持ち運びできる。しかも、シンプルかつ安価なシングルギャザーでも可能である。
【００１２】
請求項７は、前記ギャザー部が中心線の両側に有る布類の中央に物品を置いて、前記ギャザー部の無い布部を前記物品上に被せた状態で、両側のギャザー部をそれぞれ結束するか、又は両側のギャザー部を前記物品の上側に折ってまとめて一緒に結束してなることを特徴とする請求項１から請求項５までのいずれかの項に記載の包装具である。このように、前記布類の中央位置に物品を置いて、前記ギャザー部の無い布部を前記物品上に被せた状態で、両側のギャザー部をそれぞれ結束すると、極めて容易に素早く包装できる。また、両側のギャザー部を前記物品の上側に折ってまとめて一緒に結束した状態にすると、結束部が単一となるため、コンパクトでシンプルな包装状態となる。
【００１３】
請求項８は、中心線の両側に前記ギャザー部を設けると共に、前記中心線上で二つ折りにして両側のギャザー部同士を重ねた状態で、左右両側の辺を縫い合わせて袋にしてなることを特徴とする請求項１から請求項４までのいずれかの項に記載の巾着である。このように、中心線の両側に前記ギャザー部を設けると共に、前記中心線上で二つ折りにして両側のギャザー部同士を重ねた状態で、左右両端の辺を縫い合わせると袋状になるので巾着が実現できる。しかも、開口部がギャザー部によって常時締め付けられているので、内部の収納物品が容易に脱落するような恐れもない。さらに、紐手段が付いているので、開口を確実に締め付け固定できると共に、持ちやすいという効果もある。
【考案の効果】
【００１４】
請求項１のように、四角形の布類において、その１辺とほぼ平行にゴム糸やゴム紐などの伸縮手段を一体化して少なくとも１本のギャザー部を設けてあるため、物品を包んだ際にギャザー部の張力で物品を包むように自然と締め付けられるので、物品を容易に自然と包み込むことができる。そして、前記ギャザー部又はその付近に結束用の紐手段を有しているので、最後に紐手段で、包装状態における開口部をギャザー部の上から強く結束することによって、内部の物品が脱落することもなく、重量物でも安心して持ち運びできる。
【００１５】
請求項２のように、前記布類を二つ折りする中心線に対し片側のみ又は両側に前記ギャザー部を設けてあるため、例えばビールびんなどのように、一端が結束しやすい物品の場合は、中心線に対し片側のみにギャザー部を有する形態が適し、物品自体に結束の容易な特長が無い通常の物品の場合は、中心線に対し両側にギャザー部の有る形態を使用すれば、両方のギャザー部によって確実に包装状態におけるその開口部を締め付けて容易に包装できる。
【００１６】
請求項３のように、前記ギャザー部と平行に、張力の弱い微弱ギャザー部を１本以上設けてあるため、ギャザー部の無い領域においても、微弱ギャザー部の弱い張力によって内部の物品全体を軽く締め付けられるので、包装布類の全面が内部の物品にピッタリ密着する。その結果、不慣れな初心者が包装しても、体裁良くスマートに包装でき、見苦しくない。
【００１７】
請求項４のように、前記布類において、前記ギャザー部と平行な２辺にフリルやほつれ止め結びなどのような装飾手段を施してあるため、包装状態において、その外端の装飾部が外部に露出して目立つことになり、包装状態が美的に見えるのでプレゼントなどに適し、使用者も満足できる。
【００１８】
請求項５のように、四角形の布類において、前記ギャザー部と直角方向にも、ギャザー部や微弱ギャザー部を設けてあるため、布類の４辺方向にギャザー部の張力が作用することになり、円形の物品や正方形の物品、不定形の塊状体などを包装する場合に、素早く容易に包装できる。
【００１９】
請求項６のように、前記布類のギャザー部と直角方向に１又は２本のボトルを置いた状態で二つ折りにして前記ボトルを挟んで両側の２辺を重ねると共に、ボトルの両側の余長布部を前記ボトル上に折り重ねた状態で、ギャザー部の紐で結束した状態にすると、ビールびんなどのような重い物品であっても、容易にかつ確実に包装でき、しかも結束状態の紐で容易に持ち運びできる。しかも、シンプルかつ安価なシングルギャザーでも可能である。
【００２０】
請求項７のように、前記布類の中央位置に物品を置いて、前記ギャザー部の無い布部を前記物品上に被せた状態で、両側のギャザー部をそれぞれ結束すると、極めて容易に素早く包装できる。また、両側のギャザー部を前記物品の上側に折ってまとめて一緒に結束した状態にすると、結束部が単一となるため、コンパクトでシンプルな包装状態となる。
【００２１】
請求項８のように、中心線の両側に前記ギャザー部を設けると共に、前記中心線上で二つ折りにして両側のギャザー部同士を重ねた状態で、左右両端の辺を縫い合わせると袋状になるので巾着が実現できる。しかも、開口部がギャザー部によって常時締め付けられているので、内部の収納物品が容易に脱落するような恐れもない。さらに、紐手段が付いているので、開口を確実に締め付け固定できると共に、持ちやすいという効果も奏する。
【考案を実施するための最良の形態】
【００２２】
次に本考案によるふろしき代用の包装具が実際上どのように具体化されるか実施形態を説明する。図１は、本考案によるふろしき代用包装具の基本構成を示す平面図で、（１）は使用する四角形布類、（２）はシングルギャザーの例、（３）はダブルギャザーの例である。使用する四角形布類１は、正方形が適しており、１辺のサイズは一例として、大は８０ｃｍ、中は６０ｃｍ、小は４５ｃｍ程度である。ただし、これらの寸法に限定はされない。
【００２３】
この四角形布類１において、（２）のように、１辺１ａと平行に１本のギャザー部２を設けてある。あるいは、（３）のように、中心線ｃに対し対称位置に計２本設けることもできる。ギャザー部２、３の設置位置は、それぞれ対応する辺１ａ、１ｂから、各辺の寸法に対し１０〜２０％の範囲が適している。この範囲を越えると、物品を包装する領域が狭くなって、包装できる物品が小型に限定されてしまい、この範囲より小さいと、包装可能な物品は大きくなるが、見栄えのする装飾が困難となる。
【００２４】
ギャザー部２及び／又は３には、結束用の紐４ａ、４ｂを織り込んで固定してある。紐４ａ、４ｂの織り込み位置５は、ギャザー部２、３上のどの位置でもよい。必ずしも（２）（３）のように中心線ｘ上に設ける必要はなく、図５（１）のように中心線ｘ上から任意の方向に多少ずれた位置で織り込んでもよい。また、（３）のように、２本のギャザー部２、３が有る場合は、片方のギャザー部２のみに紐４ａ、４ｂを織り込んでもよいし、図５（２）のように、両方に織り込んでもよい。
【００２５】
次に、本考案によるふろしき代用包装具の使い方を説明する。図２は、図１（２）のシングルギャザーの使い方の一例で、図２（１）のように、拡げた状態の四角形布類１１の上において、ギャザー部２と直角方向に２本のボトルＢ１、Ｂ２を置いた状態で、（２）のように中心線ｃ上で二つ折りにして、前記ボトルＢ１、Ｂ２の上に重ねて、ボトルＢ１、Ｂ２を挟んだ状態にする。次いで、両側辺１ａと１ｂを重ねた状態にしてから、ボトルＢ１、Ｂ２の左右両側の余長布部１Ｌ、１Ｒを前記ボトル上に折り重ねる。図示の場合は、（３）のように、まず右側の余長布部１Ｒをボトル上に折り重ねてから、その上に（４）のように、左側の余長布部１Ｌを折り重ねた状態で、ギャザー部２上の紐４ａ、４ｂで結束すると、（５）のような包装完了状態となる。図１（３）のようなダブルギャザーの四角形布類でもほぼ同様な包装が可能であるが、細長い首部のあるビールびんなどの場合は、図１（２）のようなシングルギャザーでも足りる。
【００２６】
ダブルギャザーの場合は、ビン類より短めの物品の包装にも適している。図３は、ダブルギャザーの四角形布類１２によって、底の深い缶詰などのように幾分横長の物品Ｔを包装する例であり、まず（１）のように、四角形布類１２の中心位置で物品Ｔを横にして、前記ギャザー部２、３の無い余長布部１Ｌを前記物品Ｔの上に重ねて被せると（２）の状態となる。次いで、前記のように折り重ねた余長布部１Ｌの上に、他方の余長布部１Ｒを重ねた状態で、紐４ａ、４ｂによって両側のギャザー部２、３をそれぞれ結束すると、（３）図の状態になる。
【００２７】
図４は、長手方向の寸法が更に短く、上下、前後、左右各方向の寸法が同等なほぼ立方体状の物品ｔを包装する例である。まず、（１）のように、このように各方向のサイズが同等の物品ｔを四角形布類１２の中央位置に置いて、前記ギャザー部２、３の無い余長布部１Ｒを物品ｔの上に重ねて被せると（２）の状態となる。次いで、こうして折り重ねた余長布部１Ｒの上に、他方の余長布部１Ｌを重ねた状態で、両側のギャザー部２、３を前記物品ｔの上側に折って、両側のギャザー部２、３を一緒に紐４ａ、４ｂで結束すると、（３）の状態となる。図４で使用した四角形布類１２は、図１（３）のようなダブルギャザーにおいて、片方のギャザー部２だけに紐４ａ、４ｂを有しているのに対し、図３で使用した四角形布類１２は、図５（２）のように、ダブルギャザーにおいて、両方のギャザー部２、３に紐４ａ、４ｂを有している。
【００２８】
図５は図１（２）（３）のふろしき代用包装具の他の実施形態で、図５（１）では、図１（２）の四角形布類における紐４ａ、４ｂの織り込み位置５が、中心線ｘからずれた位置に設けてある。また、図５（２）では、図１（３）の四角形布類における下側のギャザー部３にも、中心線ｘ上で紐４ａ、４ｂを織り込んである。このように、紐４ａ、４ｂの織り込み位置は任意であり、また総てのギャザー部に設けるかどうかも任意である。
【００２９】
以上のように、包装する物品の形態に応じて、四角形布類におけるギャザー部や紐手段の位置や本数を適宜選定できる。また、ギャザー部２、３より張力の弱い微弱ギャザー部を設けることもできる。図６は、ギャザー部や微弱ギャザー部、紐手段などの位置や本数の他の実施形態である。図６（１）は、対称位置に設けた２本のギャザー部２、３の間に１本以上の微弱ギャザー部61、62、63を設けた例である。
【００３０】
これらの微弱ギャザー部は、張力の弱いゴム糸を四角形布類中に１〜２本だけ織り込んだ部分であり、ギャザー部２、３より張力が弱いので、包装に使用した場合は、弱い張力で内部の物品に布類が密着する。なお、ギャザー部２、３は、微弱ギャザー部に用いるゴム糸より張力の強い太いゴム紐を布類の中に織り込んで形成する。しかも、図８のように、２〜５ｍｍ間隔で４〜６本織り込んで幅Ｗを持たせてある。あるいは、微弱ギャザー部に用いる弱いゴム糸を多数まとめて又は分散して織り込んで張力を強くして、ギャザー部２、３を形成することも可能である。
【００３１】
図６（２）は、ギャザー部２、３のほかに、他方の辺１ｃ、１ｄと平行にギャザー部２１、３１を設けた例であり、四角形布類１上でほぼ井の字状のギャザー部となる。（３）は、前記のギャザー部２、３間に微弱ギャザー部６１、６２を設け、これらと直交方向のギャザー部２１、３１間に微弱ギャザー部６４、６５を設けた例である。このように、ギャザー部を井の字状に設けた場合は、中央に物品を置いて包装すると、（４）のように４方で締め付けられるので、包装がより簡単かつ素早く可能となる。
【００３２】
図７は、図５（２）の四角形布類で巾着を形成する例であって、（１）のように、中心線ｃに対し両側に、かつ対称位置にギャザー部２、３を設けてあり、ギャザー部２、３上に紐４ａ、４ｂを織り込み固定してある。この四角形布類において、中心線ｃ上で二つ折りにして両側のギャザー部同士を重ねた状態とする。このとき、紐４ａ、４ｂが外側に位置するように、二つ折りにする。次いで、（２）のように、左右両端の辺１ｃ、１ｄをそれぞれ縫い合わせて袋にすると、袋の開口部がギャザー部２、３で締め付けられ、その外側に紐４ａ、４ｂを有する巾着の完成である。
【００３３】
以上の各実施形態では、ギャザー部が形成される四角形布類は、説明の都合上、正四角形に表現されているが、ギャザー部や微弱ギャザー部による張力の作用で、実際には、図８のように、正四角形布類は縮んで波打った状態となる。図８は、図６（１）の四角形布類において微弱ギャザー部を61、62のように２本設けた状態である。なお、ギャザー部２、３と平行な辺１ａ、１ｂに、ほつれ止め結び７によって装飾を施し、美観向上を図っている。ほつれ止め結び７以外に、例えばフリルなどで美化してもよい。
【００３４】
本考案で使用する四角形布類は、各種の布類に適用でき、織り方も特に限定されない。また、四角形布類は、必ずしも正方形である必要はなく、多少長方形状をしていてもよい。ギャザー部は、布を織る際にゴム糸やゴム紐を織り込む方法が適しているが、完成した布にゴム紐を縫いつけて一体化することも可能である。結束用の紐手段は、紐類をギャザー部やその付近に縫い付けて取付け固定することも可能である。このとき、２本の紐類の一端を固定してもよいが、１本の長い紐の中間を固定して、２本の紐の一端を固定した状態にしてもよい。なお、ギャザー部やその付近に紐を通す孔を形成して、その中に紐手段を挿通することも可能である。
【産業上の利用可能性】
【００３５】
以上のように、本考案によると、ふろしき類似のほぼ四角状の布類で素早く容易に物品を包めるほか、包装される物品の形態に応じて種々の包装形態が可能で、重量物でも強固に包装して持ち運びでき、かつ見た目にも美しくプレゼントにも適するため、日本伝来のふろしきに代わる、感性に富んだ魅力的な包装手段として普及が期待される。
【図面の簡単な説明】
【００３６】
【図１】本考案によるふろしき代用包装具の基本構成を示す平面図で、（１）は使用する四角形布類、（２）はシングルギャザーの例、（２）はダブルギャザーの例である。
【図２】図１（２）のシングルギャザーのふろしき代用包装具の使い方の一例を示す斜視図である。
【図３】図５（２）のダブルギャザー、ダブル紐のふろしき代用包装具で、幾分横長の物品を包装する例を示す斜視図である。
【図４】図１（３）のダブルギャザー、シングル紐のふろしき代用包装具で、ほぼ立方体状の物品を包装する例を示す斜視図である。
【図５】（１）、（２）は、紐手段の織り込み位置や本数の別の実施形態を示す平面図である。
【図６】ギャザー部や微弱ギャザー部、紐手段などの位置や本数の他の実施形態を示す平面図である。
【図７】図５（２）のダブルギャザー、ダブル紐の四角形布類で巾着を形成する例である。
【図８】ギャザー部や微弱ギャザー部を有する正四角形布類が縮んで波打った状態を示す平面図である。
【符号の説明】
【００３７】
１・11、12  四角形布類
２・３・21・31  ギャザー部
４ａ・４ｂ  紐
５  紐手段の織り込み位置
Ｂ１・Ｂ２  ボトル
Ｔ  幾分横長の物品
ｔ  ほぼ立方体状の物品
１Ｌ・１Ｒ  余長布部
６１〜６５  微弱ギャザー部
【図１】
0003123890.tif 000003
【図２】
0003123890.tif 000004
【図３】
0003123890.tif 000005
【図４】
0003123890.tif 000006
【図５】
0003123890.tif 000007
【図６】
0003123890.tif 000008
【図７】
0003123890.tif 000009
【図８】
0003123890.tif 000010